(57)【要約】【課題】使い勝手を向上させたコンソール用の取り外し可能モジュールを提供する。【解決手段】ハードディスクドライブを含めることができるハウジングが、コンソールのくぼんだ表面に取り外し可能に取り付けられるように構成される。ハウジングに、リップおよびバイアスをかけられたラッチ腕が含まれ、その結果、リップを、くぼんだ表面内の対応する特徴に挿入でき、ハウジングを、くぼんだ表面に回転可能に取り付けられるようになる。バイアスをかけられたラッチ腕は、ラッチ腕保持器によって保持され、その結果、ハウジングが定位置に保持される。ケーブルコネクタが、ハウジングの底部から延び、ハウジングが据え付けられた場合にコンソールのレセプタに接続されるように構成される。望まれる場合に、ハウジングのラッチを並行移動することができ、この並行移動は、バイアスをかけられたラッチ腕に並行移動させて、ラッチ腕保持器が外される。【選択図】図７
2006190443.tif 000002
【特許請求の範囲】
【請求項１】
くぼんだ表面にケーブルレセプタを有するコンソールに取り付けられるように構成されたハードディスクドライブモジュールであって、前記くぼんだ表面は、複数の空気穴を有し、
第１端、第２端、上面、および底面を有し、前記底面はコネクタ穴を有する、ハウジングと、
前記第１端から延びる舌と、
前記第２端から延びるバイアスをかけられたラッチ腕と、
前記ハウジング内に取り付けられたハードディスクドライブと、
前記ハードディスクドライブへのケーブルアセンブリコネクタであって、ケーブルアセンブリは、ケーブルコネクタを含み、ケーブルコネクタは、前記コネクタ穴を通って突き出し、前記底面を越えて延び、前記ケーブルコネクタは、ケーブルレセプタと嵌合するように構成されている、ケーブルアセンブリコネクタと、
前記くぼんだ表面内の前記複数の空気穴の少なくとも一部と実質的に整列するように構成された、前記底面内の複数の空気穴と
を備えたことを特徴とするハードディスクドライブモジュール。
【請求項２】
前記ハウジング内に取り付けられたフレームをさらに備え、前記ハードディスクドライブは、前記フレームに取り付けられ、前記フレームによって支持されることを特徴とする請求項１に記載のハードディスクドライブモジュール。
【請求項３】
前記ハウジングに滑り可能に取り付けられたラッチをさらに備え、前記ラッチは、前記バイアスをかけられたラッチ腕上のランプに滑り可能に係合するように構成され、これによって、前記ラッチの並行移動は、前記バイアスをかけられたラッチ腕に前記ハウジング内に並行移動させることを特徴とする請求項２に記載のハードディスクドライブモジュール。
【請求項４】
前記フレームに取り付けられたミッドフレームをさらに備え、前記ミッドフレームは、前記ハードディスクドライブおよび前記ケーブルアセンブリを支持するように構成されることを特徴とする請求項３に記載のハードディスクドライブモジュール。
【請求項５】
前記上面は、空気が前記ハウジングに入ることを可能にするように構成された少なくとも１つの空気穴を含むことを特徴とする請求項４に記載のハードディスクドライブモジュール。
【請求項６】
前記ケーブルコネクタは、前記レセプタとの角度嵌合用に構成されることを特徴とする請求項１に記載のハードディスクドライブモジュール。
【請求項７】
コンソールにアップグレードを取り付けるシステムであって、
第１側面を有するコンソール本体と、
前記第１側面に置かれたくぼんだ表面であって、ケーブルレセプタ、周囲の壁、および床を含み、前記床は、複数の空気穴を含む、くぼんだ表面と、
前記くぼんだ表面に取り付けられるハウジングであって、底面および上面を含み、前記底面は、前記底面を通る通路を画定するコネクタ穴を含み、前記ハウジングの上面は、前記くぼんだ表面の前記壁を越えて延びる、ハウジングと、
前記ハウジング内に取り付けられるケーブルアセンブリであって、ケーブルコネクタを含み、前記ケーブルコネクタは、前記コネクタ穴によって画定された前記通路を通って突き出し、前記底面を越えて延び、前記ケーブルコネクタは、前記ケーブルレセプタと嵌合するように構成されている、ケーブルアセンブリと
を備えたことを特徴とするシステム。
【請求項８】
前記ケーブルコネクタは、前記レセプタと回転可能に嵌合するように構成されることを特徴とする請求項７に記載のシステム。
【請求項９】
前記ハウジングは、リップおよび前記ハウジングに滑り可能に取り付けられたバイアスをかけられたラッチ腕を含み、前記くぼんだ表面は、リップおよびラッチ腕保持器を含み、前記リップおよびバイアスをかけられたラッチ腕は、前記ハウジングを取り付けられた位置に保持するために、前記くぼんだ表面の前記リップおよび前記ラッチ腕保持器とインタフェースするように構成されることを特徴とする請求項８に記載のシステム。
【請求項１０】
前記ハウジングに滑り可能に取り付けられたラッチをさらに含み、前記ラッチは、前記バイアスをかけられたラッチ腕によって支持され、前記ラッチが並行移動した時に前記バイアスをかけられたラッチ腕に並行移動させるように構成されることを特徴とする請求項９に記載のシステム。
【請求項１１】
前記ハウジング内に取り付けられたハードディスクドライブをさらに備え、前記ケーブルアセンブリは、前記ハードディスクドライブに接続されることを特徴とする請求項１０に記載のシステム。
【請求項１２】
フレームは、前記ハウジング内に取り付けられ、前記ハードディスクドライブおよび前記ケーブルアセンブリは、前記フレームによって支持されることを特徴とする請求項１１に記載のシステム。
【請求項１３】
前記ハウジングは据え付けられていない場合に前記くぼんだ表面を覆うように構成された扉をさらに備えたことを特徴とする請求項１２に記載のシステム。
【請求項１４】
前記ハウジングの前記上面は、前記ハウジングへの第１空気通路を画定するように構成された空気穴を含み、前記ハウジングの前記底面は、前記ハウジングから出る第２空気通路を画定するように構成された少なくとも１つの穴を含み、空気は、前記第１通路を介して前記ハウジングに入り、前記第２空気通路を介して前記コンソールの前記空気穴に入るように向けられ、これによって、前記ハウジングを通過する前記空気は、前記コンソールの冷却を助けることを特徴とする請求項７に記載のシステム。
【請求項１５】
コンソールのくぼんだ表面にハードディスクドライブを取り外し可能に取り付ける方法であって、
ａ）前記ハードディスクドライブを含むハウジングの第１端の舌を前記くぼんだ表面のリップの下に置くステップと、
ｂ）前記ハウジングの底側面から延びるケーブルコネクタをレセプタに回転可能に挿入するステップと、
ｃ）前記ハウジングを前記コンソールに取り外し可能に取り付けるために、バイアスをかけられたラッチ腕をラッチ腕保持器に接続するステップと、
ｄ）前記ケーブルコネクタを介して前記ハードディスクドライブに電力およびデータ接続性を提供するステップと
を備えることを特徴とする方法。
【請求項１６】
前記ハードディスクドライブおよび前記ケーブルコネクタをフレームを介して前記ハウジングに取り付けるステップをさらに備えることを特徴とする請求項１５に記載の方法。
【請求項１７】
前記ハウジングにラッチを設けるステップをさらに備え、前記ラッチは、前記ハウジングを前記コンソールから取り外すことを可能にするために、前記バイアスをかけられたラッチ腕を並行移動させるように構成されることを特徴とする請求項１５に記載の方法。
【発明の詳細な説明】
【技術分野】
【０００１】
本発明は、コンソールの分野に関し、具体的には、コンソールへのアクセサリの取り付け分野に関する。
【背景技術】
【０００２】
ビデオゲームをプレイし、映画などのメディアを再生するコンソール（ゲーム機）は、ますます、ホームエンターテイメントの一部になってきた。初期のコンソールは、楽しいものであったが、処理能力およびグラフィカル機能において多少制限されていた。しかし、時と共に、コンソールは、能力および機能を大幅に高められ、現在は、かなりのレベルの熱中できるエンターテイメントを提供する。したがって、ホームコンピュータに似て、個人が、ホームエンターテイメントで使用するためにコンソールを購入することが期待されるようになってきた。
【０００３】
ホームエンターテイメントに、ビデオゲームのプレイ以上のものが含まれることに留意されたい。ホームエンターテイメントに、映画および音楽を再生し、ソフトウェアによって指示される他の機能を提供する能力が含まれる。したがって、コンソールは、かなりのホームエンターテイメント価値を提供することができる。
【０００４】
コンソールは、ホームコンピュータとある類似性を共有するが、動作する環境のゆえにユニークである。現代のコンソールは、強力なプロセッサと、洗練されたビデオおよびサウンドの再生機能を有する。コンソールは、非常に熱中できるゲームのプレイのほかに、映画および音楽の再生に使用することができる。しかし、コンソールは、他の強力なコンピュータに似て、かなりの量の熱を生成し、この熱は、通常、対流を介する熱の転送に適する気流を作る１つまたは複数のファンなどの熱伝達システムを使用することによって除去されなければならない。したがって、ファンによって生成される背景雑音が望ましくないので、サウンド生成は、コンソールにとって大きな問題である。したがって、コンソールのプロセッサは、まだ熱を生成するが、その熱を、ほとんどのホームコンピュータで典型的であるものより優雅な形で処理しなければならない。
【０００５】
より優雅な設計が必要である理由の一部は、コンソールが、ほとんどのホームコンピュータより小さいハウジング内にパッケージ化される傾向があることである。したがって、タワーケースにパッケージ化される通常のコンピュータと異なって、コンソールは、多数の類似する構成要素を含みながら、比較的コンパクトなスペースにパッケージ化される。しばしば、コンソール内に余分のスペースがほとんどないか、全くない。したがって、コンソールに対するアップグレードは、ホームコンピュータのアップグレードよりも難しい。
【発明の開示】
【発明が解決しようとする課題】
【０００６】
従来のシステムには上述したような種々の問題があり、さらなる改善が望まれている。
【０００７】
本発明は、このような状況に鑑みてなされたもので、その目的とするところは、使い勝手を向上させたコンソール用の取り外し可能モジュールを提供することにある。
【課題を解決するための手段】
【０００８】
コンソールが、比較的細く、魅力的なプロファイルを提供する外側ハウジングを含むように構成される。外側ハウジングは、前面、左面、および右面を含む複数の側面を有する。コンソールの側面のパネルが、取り外し可能であり、くぼんだ表面およびケーブルレセプタを覆う。ハードディスクドライブ（「ＨＤＤ」）が、ＨＤＤモジュール内に設けられ、このＨＤＤモジュールが、くぼんだ表面に取り外し可能に取り付けられるように構成され、その結果、ＨＤＤモジュールから延びるケーブルコネクタが、据え付け中にケーブルレセプタと嵌合する。ＨＤＤモジュールの一部が、くぼんだ表面を越えて延びて、ＨＤＤモジュールが据え付けられた場合のコンソールのプロファイルを変更する。したがって、ユーザは、ＨＤＤなしでコンソールを購入し、後に、ユーザによって簡単に据え付けられるＨＤＤアップグレードを購入することができ、ＨＤＤアップグレードは、コンソールがアップグレードされたことの視覚的手がかりを提供することができる。
【０００９】
本発明を、制限ではなく例としてのみ添付図面に示すが、添付図面では、同一の符号が同一の要素を指す。
【発明の効果】
【００１０】
本発明によれば、使い勝手を向上させたコンソール用の取り外し可能モジュールを提供することができる。
【発明を実施するための最良の形態】
【００１１】
以下、図面を参照して本発明を適用できる実施形態を詳細に説明する。
【００１２】
コンソールは、ハードディスクドライブ（「ＨＤＤ」）モジュールなどのモジュール付きまたはモジュールなしで販売されるように構成することができる。ＨＤＤモジュールなしで販売される場合に、カバーパネルが、コンソールの端のくぼんだ表面を覆うために設けられる。個人が望む場合に、カバーパネルを取り外すことができ、モジュールを据え付けることができる。
【００１３】
図１を参照すると、コンソール１０の等角図が示されている。図からわかるように、コンソール１０に、本体１１および第１端１２が含まれる。第１端１２に、コンソール１０が横向きに置かれた場合にコンソール１０を支持するように構成された４つの支持エクステンション１３が含まれる。コンソール１０の他端を、支持エクステンションを用いて同様に構成することができる。しかし、柔軟な方位を提供するために、底に支持エクステンションを含めることに加えて、１端に支持エクステンションを含めることだけが有益である。もちろん、エクステンションは、必要でないが、エクステンションをなくすことによって、空気がコンソール１０を支持する表面を通過することが、より難しくなる。
【００１４】
コンソール１０のプロファイルが比較的細いので、コンソール１０が、ＴＶまたはモニタなどのディスプレイの横にすぐにおさめることができる可能性が高い。コンソール１０を横向きにする能力は、望ましく魅力的な形でのコンソール１０の位置決めに関する追加の柔軟性も提供する。
【００１５】
図２を参照すると、コンソール１０の第２端１５の実施形態の図が、開口部を示した状態で示されており、したがって、カバーパネル８２が据え付けられていない。したがって、アップグレードモジュールを、開口部またはくぼんだ表面に据え付けることができる。図からわかるように、表面１４が設けられ、表面１４は、くぼんだ表面４１が始まるところで終わる。くぼんだ表面４１は、周囲の壁４２およびくぼんだ床４３によって画定される。ラベル４９を、くぼんだ床４３に取り付けることができ、複数の穴４４をくぼんだ床４３に設けることができ、穴４４は、空気通路を画定し、その結果、空気は、くぼんだ床４３を通ってコンソール１０の内側部分に入ることができるようになる。
【００１６】
くぼんだ表面４１には、ラッチ保持器４５、リップ４６、および２つのラッチ腕保持器４７も含まれる。ラッチ保持器４５およびリップ４６は、カバーパネル８２（図示せず）を定位置に保持するように構成され、その結果、カバーパネル８２は、コンソール１０の通常の使用中にうっかり除去されないようになっている。くぼんだ床４３に、さらに、レセプタ穴４８が含まれ、このレセプタ穴４８は、ケーブルレセプタ６９へのアクセスを可能にするためにくぼんだ床４３を通る通路を提供するように構成されている。
【００１７】
上で注記したように、コンソール１０の第２端に、くぼんだ床４３のようにくぼんではいない表面１４が含まれる。したがって、コンソール１０は、カバーパネル８２が据え付けられた場合に、カバーパネル８２の外側表面が表面１４と実質的に同一平面になり、その結果、第２端１５が、比較的連続的な表面のように見えるように構成されている。カバーパネル８２と表面１４が接合する交差線は、可視である場合がある。
【００１８】
次に図３を参照すると、カバーパネル８２の背面等角図が示されている。上で注記したように、カバーパネル８２は、コンソール１０のくぼんだ表面４１と嵌合するように構成されている。図示されていない代替配置では、コンソール１０の他の構成要素が適当に配置されているならば、くぼんだ表面４１の位置を、コンソール１０の反対側に置くことができる。
【００１９】
カバーパネル８２に、ボタンラッチ８３、舌（tongue）８４、および、カバーパネル８２を通る空気通路を画定する複数の穴８５が含まれる。カバーパネル８２をくぼんだ表面４１に据え付けるには、舌８４をリップ４６の下に置き、カバーパネル８２のボタンラッチ８３を、ラッチ保持器４５に挿入する。カバーパネル８２を取り外すには、ラッチ８３を内側に押し、カバーパネル８２を取り外すことができる。
【００２０】
図４を参照すると、ＨＤＤモジュール１００の等角図が示されている。ＨＤＤモジュール１００に、上面１６０を有するハウジング１０１が含まれる。通気穴１６２を上面１６０に設けて、空気がハウジング１０１に入ることを可能にすることができる。通気穴１６２の形状は、空気がディスプレイ表面１１２を通って入ることができる限り重要ではなく、したがって、通気穴１６２の形状は、より円形にすることができ、四角くすることができ、あるいは、１つまたは複数の線など、任意の個数の他の形状とすることができる。ＨＤＤモジュールに、ラッチ１５０およびラッチ腕１９０が含まれるが、これらの機能は、下で詳細に説明する。
【００２１】
図５に、底面１７０が可視の、図４のＨＤＤモジュール１００を示す。舌１７６が、ラッチ１５０およびラッチ腕１９０と反対に設けられ、ラッチ腕１９０と協力して、舌８４に似た形で、据え付けられた位置または取り付けられた位置にＨＤＤモジュール１００を保持する。底面１７０に、コネクタ穴１７１が含まれ、これを介して、ケーブルコネクタ１２２がハウジング１０１から延び、ケーブルコネクタ１２２は、シール１８０によってコネクタ穴１７１に密封されている。複数の空気穴１７２も、底面１７０に設けられ、複数の空気穴１７２は、ＨＤＤモジュール１００が据え付けられた場合に、空気が底面１７０を通ってコンソール１０に通過することを可能にする通路を画定するように構成されている。
【００２２】
コンソール１０の内部の気圧を、コンソール１０から外に空気を向けるファンシステム（図示せず）によって下げることができ、したがって、空気は、コンソール１０内に設けられた他の開口を通ってコンソール１０に入る傾向があることに留意されたい。したがって、くぼんだ床４３の穴４４によって画定される通路の一部は、底面１７０内の空気穴１７２によって画定される通路に対応するように構成される。この形で、空気は、ＨＤＤモジュール１００を通って流れ、ＨＤＤモジュール１００を冷やすのを助けることができるが、ＨＤＤモジュール１００を通過する空気の気温は、通常はコンソール１０の内部のプロセッサに取り付けられたヒートシンクより冷たいので、ＨＤＤモジュール１００を通ってコンソール１０に入る空気は、まだ、ヒートシンクから熱を転送するのに有用である。
【００２３】
図６に、ＨＤＤモジュール１００の据え付け処理を示す。まず、可視でない舌１７６を、リップ４６の下に挿入する。次に、ＨＤＤモジュール１００を回転し、その結果、ラッチ腕１９０がラッチ腕保持器４７と係合するようにする。図からわかるように、ケーブルレセプタ６９は、ＨＤＤモジュール１００が据え付けられる場合に邪魔にならないようにピボット回転する扉６８によって覆うことができる。代替実施形態では、扉６８を、ＨＤＤモジュール１００を据え付ける前に取り外すことができるプラグに交換することができる。
【００２４】
図７に、据え付けられた位置のＨＤＤモジュール１００を示す。ラッチ１５０が、可視であり、押し下げることができ、ラッチ１５０が押し下げられた場合に、ＨＤＤモジュール１００を取り外すことができる。したがって、ＨＤＤモジュール１００は、コンソール１０に取り外し可能に取り付けられている。
【００２５】
図からわかるように、ＨＤＤモジュール１００の底面１６０は、くぼんだ床４３と接触している。したがって、ＨＤＤモジュール１００の一部が、壁４２およびくぼんだ床４３によって形成されるくぼんだ表面４１の中になる。しかし、ＨＤＤモジュール１００の一部が、壁４２を越えて延びることも明白である。したがって、据え付けられた場合に、ＨＤＤモジュール１００は、コンソール１０のプロファイルを変更する。これによって、個人が、コンソール１０がアップグレードされていることを素早く認められるようになる。ＨＤＤモジュール１００の外側の形状は、重要でなく、多数の代替構成のどれであっても使用することができる。しかし、コンソール１０の外部形状の相違は、ＨＤＤモジュール１００が据え付けられたならばすぐに認められることが望ましい。
【００２６】
そのような実施形態では、個人が、コンソールがアップグレードされていることを瞬間的に認めることができる。アップグレードの追加に伴って、コンソールの外見の質を高めることも望ましい。そのような構成は、アップグレードを様式的な観点と機能性の観点の両方から望ましいものにし、したがって、広範囲の個人に実質的な価値を提供し、多数の個人が、アップグレードの価値がアップグレードのコストより高いと判断するようになる。
【００２７】
図８を参照すると、ＨＤＤモジュール１００の実施形態の分解図が示されている。ＨＤＤモジュール１００に、フレーム２１０によって支持されたＨＤＤ  ２０２が含まれる。ＨＤＤ  ２０２は、コンソールの要件およびＨＤＤモジュール１００の目的に従ってサイズを決定することができる。したがって、ＨＤＤ  ２０２は、２０、４０、６０、８０、１００、またはそれ以上のギガバイトのストレージを提供するサイズにすることができる。当然、４００ギガバイトのストレージを有するＨＤＤが、現在入手可能なので、他のサイズが可能である。ＨＤＤは、ＨＤＤ  ２０２にストアされた情報への素早いアクセスを提供するように構成されることが好ましく、したがって、７２００ｒｐｍベースのＨＤＤが好ましい可能性がある。
【００２８】
フレーム２１０は、ＨＤＤ  ２０２を支持することに加えて、ケーブルアセンブリ１２０も支持する。ＨＤＤケーブルコネクタ１２１が、ケーブルアセンブリ１２０をＨＤＤ  ２０２に接続し、ケーブルコネクタ１２２が、穴２１２によって画定される、フレーム２１０内の通路を通って延びる。コネクタは、ＨＤＤ  ２０２との間のメモリの素早い転送を可能にするように構成されることが好ましく、さらに、ＨＤＤ  ２０２に電力を供給するように構成されている。一実施形態で、ケーブルおよびコネクタは、変更されたＳｅｒｉａｌ  ＡＴＡフォーマットに基づく。
【００２９】
ＨＤＤ  ２０２とケーブルアセンブリ１２０とケーブルコネクタ１２２を支持するのを助けるために、ミッドフレーム２３０が、複数の締結具２３５によってフレーム２１０に取り付けられ、その結果、ＨＤＤ  ２０２およびケーブルアセンブリ１２０が、フレーム２１０とミッドフレーム２３０の間にはさまれる。当然、ＨＤＤ  ２０２およびケーブルアセンブリ１２０を支持する他の構成が可能である。
【００３０】
ハウジングフレーム１４０、上面１６０、および底面１７０は、フレーム２１０およびミッドフレーム２３０を支持することによってＨＤＤ  ２０２およびケーブルコネクタ１２２を支持するように構成されている。上面１６０に、ＨＤＤ  ２０２に冷却を提供するために空気がハウジング頂部を通過できるようにする１つまたは複数の通気穴１６２を含めることができる。細長い穴の形の縁として描かれているが、通気穴１６２は、さまざまな形状および構成とすることができる。したがって、通気穴１６２を設けることに関する有益な部分は、ＨＤＤモジュール１００を通る気流を改善する能力である。
【００３１】
フレーム２１０またはミッドフレーム２３０を除去し、ハウジングフレーム１４０、上面１６０、および底面１７０によってＨＤＤ  ２０２を直接に支持することが可能であるが、フレームが除去された場合に、振動保護の一部が失われる。さらに、フレーム２１０およびミッドフレーム２３０は、通常はＨＤＤ  ２０２をパッケージ化する場合に非常に望ましいＥＭＩグランドを提供する。
【００３２】
上面１６０および底面１７０は、ハウジングフレーム１４０に取り付けられ、ハウジングフレーム１４０、上面１６０、および底面１７０の組合せが、ＨＤＤモジュール１００のハウジング１０１を形成する。したがって、上面１６０の外面は、ディスプレイ表面であり、底面１７０の外面は、取り付け面である。底面１７０に、底面１７０を通る通路を画定するコネクタ穴１７１が含まれ、コネクタ穴１７１は、ケーブルコネクタ１２１に対応するように構成されている。ケーブルコネクタ１２２を底面１７０に密封するのを助けるために、シール１８０が、フレーム２１０と底面１７０の間に置かれ、シール１８０は、コネクタ穴１７１に整列される。図からわかるように、底面１７０には、空気が底面１７０を通って流れられるようにする、ハウジング下部内の通路を画定する複数の空気穴１７２も含まれる。
【００３３】
パッド２８３も、フレーム２１０と底面１７０の間に置かれ、振動低下（ｖｉｂｒａｔｉｏｎ  ｄａｍｐｅｎｉｎｇ）を提供することができる。一実施形態で、パッド２８３は、両面粘着テープから作られ、据え付け処理を助ける。
【００３４】
ＨＤＤモジュール１００を定位置に保持するのを助けるために、ラッチ１５０は、バイアス要素２８５（たとえば、つる巻ばね）およびラッチ腕１９０と協力するように構成されている。ラベル２９８を、底面１７０に据え付けることができる。構成要素が正しく位置決めされたならば、複数の締結具２９９を使用して、底面１７０、ハウジングフレーム１４０、および上面１６０を一緒に保持する。その後、ＨＤＤモジュール１００は、コンソールへの取り付けの準備ができている。
【００３５】
図９および１０を参照すると、ＨＤＤモジュール１００の据え付けを可能にする構成要素の実施形態が示されている。前に述べたように、底面１７０の舌１７６が、コンソール１０のくぼんだ表面４１内の対応するリップ４６内に挿入される。そのように挿入されたならば、ＨＤＤモジュール１００を定位置に回転することができる。ＨＤＤモジュール１００を定位置に保持するために、ラッチ腕１９０が、上面１６０と底面１７０の間に取り付けられている。少なくとも１つの支持縁１６３が、上面１６０に設けられて、ラッチ腕１９０を定位置に保持するのを助けることが好ましいが、図示のように、複数の支持縁１６３が設けられている。複数の薄い支持縁１６３を使用することによって、ラッチ腕１９０を簡単に並行移動できるように摩擦を減らすのを助けながら、ラッチ腕１９０が正しく支持される。
【００３６】
ラッチ腕１９０に、ラッチランプ１９１、ラッチ滑り面１９２、およびラッチバイアスレセプタ１９３が含まれる。図１０を参照すると、ラッチ腕１９０が、底面１７０に据え付けられて図示されている。底面１７０に、バイアス支持１７７が含まれ、バイアス要素２８５（つる巻ばねとして図示）が、ラッチバイアスレセプタ１９３とバイアス支持１７７の間に位置決めされている。したがって、バイアス要素２８５は、ラッチ腕１９０を前に向け、その結果、ラッチ滑り面１９２が、ハウジング１０１から延びる。
【００３７】
図９に戻ると、ラッチ１５０に、底面１７０内の溝１７４に係合する腕１５１が含まれる。ラッチ１５０に、さらに、ラッチランプ１９１とインタフェースするように構成された並進面１５３が含まれる。したがって、ラッチ１５０の腕１５１が、溝１７４内に据え付けられた場合に、ラッチランプ１９１が、ラッチ１５０の並進面１５３に乗る。バイアス要素２８５がラッチ腕１９０に働かせる力が、ラッチを強制的に閉位置または第１位置にする。しかし、バイアス要素２８５によって与えられる力を克服する力がラッチ１５０に働く場合に、ラッチ腕１９０が、後ろ向きに並行移動する。
【００３８】
また、ラッチ滑り面１９２に働く力は、ラッチ腕１９０に、後ろ向きに並行移動させる。ラッチ滑り面１９２の角度があるので、並行移動の平面に垂直に働く力が、ラッチ腕１９０を並行移動させる。したがって、ＨＤＤモジュール１００が挿入される場合に、ラッチ滑り面１９２をラッチ腕保持器４７に向けて押すことによって、ＨＤＤモジュール１００がくぼんだ表面４１に完全に挿入されるまで、ラッチ腕１９０が並行移動する。しかし、挿入されたならば、ラッチ腕１９０は、バイアス要素２８５がラッチ腕１９０に働かせる力によって前に向けられ、ラッチ腕１９０は、ラッチ腕保持器４７の下に延びて、ＨＤＤモジュール１００をコンソール１０にラッチする。
【００３９】
図からわかるように、上面１６０に、嵌合する接続特徴１７５とインタフェースする接続特徴１６５を含めることができ、その結果、この２つの接続特徴が、上面１６０と底面１７０を一緒に保持するのを助けるようになる。
【００４０】
図１０において見られるように、ラッチ腕１９０の取付側１９４は、比較的平坦である。したがって、コンソール１０に取り付けられたならば、ラッチ腕１９０は、ラッチ１５０が変位されるまで、ＨＤＤモジュール１００を定位置に保持する傾向がある。この形で、ＨＤＤモジュールを、コンソール１０にすぐに据え付けることができ、同様にすぐに取り外すことができる。そのような特徴は、個人が、あるコンソールから別のコンソールにＨＤＤモジュールを移動することを可能にし、したがって、ＨＤＤモジュール１００上の情報を、コンソール全体を移動する必要なしに移動することができる。したがって、個人が、ハイスコア、ユーザプロファイル、およびセーブされたゲームを含むＨＤＤモジュール（ほとんどのゲームは、ＣＤ（compact disc）またはＤＶＤ（Digital Versatile Disc）のいずれかによって駆動されるので、ハードドライブには、通常、実際のゲームは含まれない）を取り外し、そのＨＤＤモジュールを友人のコンソールに据え付け、その結果、両方の個人が、セーブされたゲームを利用できるようになる。この形で、個人は、コンソール自体を持ち運ぶ必要なしに、パーソナライズされたデータを持って旅行することができる。
【００４１】
図１１を参照すると、ケーブルアセンブリ１２０の実施形態が示されている。ケーブルコネクタ１２１は、電気的にケーブルコネクタ１２２に接続されている。上で注記したように、ＨＤＤモジュール１００は、まっすぐに挿入されるのではなく、回転して定位置に挿入されることが好ましい。したがって、ケーブルコネクタ１２２は、完全な位置合わせを必要とせずにケーブルレセプタ６９への挿入を可能にすることが好ましい。図からわかるように、柱１２３および柱１２４が、ケーブルコネクタ１２２をケーブルレセプタ６９に挿入することを可能にするのを助ける角度付きの面を有する。したがって、ケーブルコネクタ１２２は、ケーブルレセプタ６９への角度付きの挿入用に構成されており、ケーブルコネクタ１２２を、回転してケーブルレセプタ６９に嵌合することができる。ケーブルレセプタ６９は、必要なクリアランスおよび許容範囲を提供するように構成することができる。代替案では、ケーブルコネクタ１２２およびケーブルレセプタ６９を、相対的にまっすぐな挿入を必要とするように構成することができる。そのような設計では、２組のラッチを設けること、または少なくとも１つのラッチと共に位置合わせガイドを設けることのいずれかを行い、その結果、ケーブルレセプタ６９とのケーブルコネクタ１２２の位置合わせが過度に難しくならないようになっていることが好ましい。
【００４２】
ケーブルコネクタ１２２に、フレーム２１０とケーブルアセンブリ１２０が一緒に組み立てられる場合にたわみ、フレーム２１０に接触する複数のグランドタブ１２５が含まれる。例示的実施形態では、グランドタブ１２５が、ＥＭＩグランドを提供するのを助ける。ケーブルが正しく位置決めされることを保証するのを助けるために、輪１２６が設けられ、その結果、フレーム２１０とミッドフレーム２３０の間の空間が占められる。これは、ＨＤＤモジュール１００の据付中にケーブルコネクタ１２２を定位置に保持するのを助ける。ケーブルアセンブリ１２０を保護するのを助けるために、シール１８０が、横向きの衝撃の事故からケーブルコネクタ１２２を分離するのを助ける。
【００４３】
したがって、実施形態によれば、ＨＤＤモジュール１００を、比較的単純な回転運動を用いてコンソール１０のくぼんだ表面４１に挿入することができる。同一のＨＤＤモジュール１００を、ラッチを押し下げることによって、比較的単純な形で取り外すこともできる。したがって、アップグレードを、取り外し可能にコンソールに取り付けることができる。
【００４４】
経済の基本的原理の１つは、個人が、少なくともコストと同等の価値、好ましくはそれより高い価値を有すると思われるものについてのみ支払うということである。最大の価値を最大の人数の個人に提供するために、標準機能を有するコンソールを提供することができる。追加の特徴は、コストを超える特徴の価値を見つけた個人のために、アップグレードとして提供することができる。したがって、カスタマイズ可能なコンソールは、最大の人数の人によって享受される価値を最大にすることができる。当然、コンソールまたはアップグレードの形状を変更することができる。しかし、標準コンソールとアップグレードされたコンソールの間に視覚的相違を設けることが有益である。
【００４５】
本発明を、その好適実施形態および例示的実施形態に関して説明した。この開示を再検討することから、当業者は、請求項の趣旨および範囲に含まれる多数の他の実施形態、修正形態、および変形形態を思い浮かべるであろう。
【図面の簡単な説明】
【００４６】
【図１】コンソールの実施形態を示す等角図である。
【図２】コンソールのくぼんだ表面の実施形態を示す平面図である。
【図３】図２に示されたくぼんだ表面に据え付けられるように構成された扉を示す等角図である。
【図４】図２に示されたくぼんだ表面に据え付けられるように構成されたモジュールの実施形態を示す等角上面図である。
【図５】図２に示されたくぼんだ表面に据え付けられるように構成されたモジュールの実施形態を示す等角底面図である。
【図６】図２に示されたくぼんだ表面に据え付けられるように構成されたモジュールの実施形態を示す等角図である。
【図７】モジュールが据え付けられた状態である、図６に示されたモジュールおよびコンソールを示す等角図である。
【図８】ハードディスクドライブモジュールの実施形態を示す分解図である。
【図９】図８に示された構成要素の一部を示す部分分解拡大図である。
【図１０】構成要素が組み立てられている、図９に示された複数の構成要素を示す等角図である。
【図１１】ケーブルアセンブリの実施形態を示す等角図である。
【符号の説明】
【００４７】
１０  コンソール
１００  ＨＤＤモジュール
１５０  ラッチ
【図１】
2006190443.tif 000003
【図２】
2006190443.tif 000004
【図３】
2006190443.tif 000005
【図４】
2006190443.tif 000006
【図５】
2006190443.tif 000007
【図６】
2006190443.tif 000008
【図７】
2006190443.tif 000009
【図８】
2006190443.tif 000010
【図９】
2006190443.tif 000011
【図１０】
2006190443.tif 000012
【図１１】
2006190443.tif 000013